(57)【要約】【課題】機器間の短距離無線通信が可能な汎用の携帯用電子機器を用いて遠隔操作が可能な車載機器、車載機器の遠隔操作方法および制御プログラムを提供する。【解決手段】０〜９のうち互いに異なる一の数字と、一文字または複数文字が割り当てられた数字キー３０を複数個備えた携帯用電子機器３と短距離無線通信ネットワークにより接続される車載機器１に、ユーザによる前記数字キーの入力順を表すデータ列からなるコマンドを携帯用電子機器３から受信するコマンド受信部１５と、コマンドテーブル２０を格納するテーブル格納部１９と、コマンドテーブル２０に基づき、コマンド受信部１５により受信したコマンドが指示する操作内容に応じた動作を行うように車載機器１を制御する制御部１０を備えさせ、コマンドが、前記数字キーに割り当てられたいずれかの文字あるいは数字を前記入力順に並べて表記した場合に、所定の指示操作内容を表す文字列あるいは文字列と数字列との組み合わせとなるようにする。【選択図】図４
2007318382.tif 000002
【特許請求の範囲】
【請求項１】
０〜９のうち互いに異なる一の数字が割り当てられ、割り当てられた数字を入力することができるとともに、一文字または複数文字が割り当てられた数字キーを複数個備えた携帯用電子機器と所定の無線通信方式による短距離無線通信ネットワークにより接続される車載機器であって、
ユーザによる前記数字キーの入力順を表すデータ列からなるコマンドを前記短距離無線通信ネットワークを介して受信するコマンド受信部と、
前記コマンドと、このコマンドが指示する操作内容とを対応付けたコマンドテーブルを格納するテーブル格納部と、
前記コマンドテーブルに基づき、前記コマンド受信部により受信したコマンドが指示する操作内容に応じた動作を行うように当該車載機器を制御する制御部と、
を備え、
前記コマンドは、前記数字キーに割り当てられたいずれかの文字あるいは数字を前記入力順に並べて表記した場合に、所定の指示操作内容を表す文字列あるいは文字列と数字列との組み合わせとなるようにされていること、
を特徴とする車載機器。
【請求項２】
請求項１記載の車載機器において、
当該車載機器は、複数の動作モードを備え、
前記制御部は、一つの前記コマンドの入力により、指定された動作モードに移行するとともに、当該動作モードにおいて、前記コマンドに対応する操作内容に応じた動作を行うように前記制御を行うこと、
を特徴とする車載機器。
【請求項３】
請求項１記載の車載機器において、
当該車載機器は、所定の周波数のラジオ放送電波を受信するラジオ受信部を備え、
前記制御部は、一つの前記コマンドの入力により、前記ラジオ受信部に、前記コマンドに対応する周波数帯の所定の周波数のラジオ放送電波を受信させるように前記制御を行うこと、
を特徴とする車載機器。
【請求項４】
請求項１記載の車載機器において、
当該車載機器は、所定の周波数のラジオ放送電波を受信するラジオ受信部を備え、
前記制御部は、一つの前記コマンドの入力により、前記ラジオ受信部に、前記コマンドに対応する周波数帯の所定のチャネル番号に割り当てられた周波数のラジオ放送電波を受信させるように前記制御を行うこと、
を特徴とする車載機器。
【請求項５】
０〜９のうち互いに異なる一の数字が割り当てられ、割り当てられた数字を入力することができるとともに、一文字または複数文字が割り当てられた数字キーを複数個備えた携帯用電子機器と所定の無線通信方式による短距離無線通信ネットワークにより接続される車載機器を前記携帯用電子機器により遠隔操作する車載機器の遠隔操作方法であって、
前記車載機器に、
前記携帯用電子機器からユーザによる前記数字キーの入力順を表すデータ列からなるコマンドを前記短距離無線通信ネットワークを介して受信させ、
前記コマンドと、このコマンドが指示する操作内容とを対応付けたコマンドテーブルに基づき、前記携帯用電子機器から受信したコマンドが指示する操作内容に応じた動作を行うように制御させ、
前記コマンドは、前記数字キーに割り当てられたいずれかの文字あるいは数字を前記入力順に並べて表記した場合に、所定の指示操作内容を表す文字列あるいは文字列と数字列との組み合わせとなるようにされていること、
を特徴とする車載機器の遠隔操作方法。
【請求項６】
０〜９のうち互いに異なる一の数字が割り当てられ、割り当てられた数字を入力することができるとともに、一文字または複数文字が割り当てられた数字キーを複数個備えた携帯用電子機器と所定の無線通信方式による短距離無線通信ネットワークにより接続されるとともに、前記電子機器からコマンドを受信するコマンド受信部と、前記コマンドと、このコマンドが指示する操作内容とを対応付けたコマンドテーブルを格納するテーブル格納部と、当該車載機器を制御する制御部とを備えた車載機器をコンピュータにより制御するための制御プログラムであって、
前記コマンド受信部に、ユーザによる前記数字キーの入力順を表すデータ列からなるコマンドを前記短距離無線通信ネットワークを介して受信させ、
前記制御部に、前記コマンドテーブルに基づき、前記コマンド受信部により受信させたコマンドが指示する操作内容に応じた動作を行うように当該車載機器を制御させ、
前記コマンドは、前記数字キーに割り当てられたいずれかの文字あるいは数字を前記入力順に並べて表記した場合に、所定の指示操作内容を表す文字列あるいは文字列と数字列との組み合わせとなるようにされていること、
を特徴とする制御プログラム。
【発明の詳細な説明】
【技術分野】
【０００１】
本発明は、携帯用電子機器により遠隔操作される車載機器、携帯用電子機器を用いた車載機器の遠隔操作方法および制御プログラムに関する。
【背景技術】
【０００２】
近年のデジタル通信技術の発達により、家庭内のテレビ、ラジオを始めとする電子機器は、リモコンを用いて遠隔操作ができるようになっている。これは、ナビゲーション部、カーオーディオ装置等の車載機器においても同様であり、リモコンを用いることで遠隔操作が可能となっている。
このような車載機器について、各車載機器毎に個別のリモコンを用意しなくとも、携帯電話機などの携帯用電子機器をリモコンとして使用し、携帯用電子機器により遠隔操作を行うことができるようにしたリモコンシステムが提案されている（例えば、特許文献１参照）。このリモコンシステムでは、携帯電話機においてダイアル操作を行うために用いる数字キーを液晶パネルなどで構成し、リモコンモード時には数字キーの表示を「１」、「２」、「３」などの数字の表示から、「ナビ」、「ＴＶ」、「ラジオ」等の操作対象を示す表示に切り換え可能に構成している。そして、例えば、「ＴＶ」が選択された際には、さらに数字キーの表示を操作対象を示す表示から、「１ｃｈ」、「３ｃｈ」、「４ｃｈ」など、チャンネル表示に切り換えるなどして、チャンネル選択操作など、各操作対象に応じた操作を携帯電話機により行えるようにしている。
【特許文献１】特開平１０−２７６４８０号公報（第４図、第５図）
【発明の開示】
【発明が解決しようとする課題】
【０００３】
しかしながら、上記従来のリモコンシステムにおいては、携帯電話機の数字キーを液晶パネルで構成し、リモコンモード時には各数字キーを構成する液晶パネルなどに操作項目を表示させる必要があった。すなわち、携帯用電子機器を、予め車載機器の遠隔操作を行うためのリモコンとして構成しておく必要があり、汎用されている携帯用電子機器をリモコンとしてそのまま用いることはできなかった。
一方、汎用されている携帯用電子機器の多くには、数字を入力するための数字キーが設けられており、この数字キーには複数の文字が割り当てられ、割り当てられたいずれかの文字を入力できるようにしたものも多い。また、汎用の携帯用電子機器の中には、Bluetooth（登録商標）やＩｒＤＡ（Infrared Data Association）などを利用した機器間の短距離無線通信が可能なものある。
本発明の課題は、機器間の短距離無線通信が可能な汎用の携帯用電子機器を用いて遠隔操作が可能な車載機器、車載機器の遠隔操作方法および制御プログラムを提供することにある。
【課題を解決するための手段】
【０００４】
上記課題を解決するため、本発明の車載機器は、０〜９のうち互いに異なる一の数字が割り当てられ、割り当てられた数字を入力することができるとともに、一文字または複数文字が割り当てられた数字キーを複数個備えた携帯用電子機器と所定の無線通信方式による短距離無線通信ネットワークにより接続される車載機器であって、ユーザによる前記数字キーの入力順を表すデータ列からなるコマンドを前記短距離無線通信ネットワークを介して受信するコマンド受信部と、前記コマンドと、このコマンドが指示する操作内容とを対応付けたコマンドテーブルを格納するテーブル格納部と、前記コマンドテーブルに基づき、前記コマンド受信部により受信したコマンドが指示する操作内容に応じた動作を行うように当該車載機器を制御する制御部と、を備え、前記コマンドは、前記数字キーに割り当てられたいずれかの文字あるいは数字を前記入力順に並べて表記した場合に、所定の指示操作内容を表す文字列あるいは文字列と数字列との組み合わせとなるようにされていることを特徴とする。
この構成によれば、車載機器は、コマンド受信部において携帯用電子機器からコマンドを受信すると、制御部はテーブル格納部に格納されたコマンドテーブルに基づき、受信したコマンドが指示する操作内容に応じた動作を行うように制御する。コマンドを送信する携帯用電子機器は、０〜９のうち互いに異なる一の数字を入力することのでき、一文字または複数の文字が割り当てられた数字キー、すなわち、いわゆるテンキー等を有し、例えば、Bluetooth（登録商標）やＩｒＤＡなどの機器間における短距離無線通信が可能なものであればよいので、これらの構成を有する汎用の携帯用電子機器を用いて車載機器にコマンドを送信し、車載機器を遠隔操作することができる。この際、コマンドはユーザによる数字キーの入力順を表すデータ列からなるとともに、前記数字キーに割り当てられたいずれかの文字あるいは数字を、コマンドを入力する際に用いられた数字キーの入力順に並べて表記した場合に、所定の指示操作内容を表す文字列あるいは文字列と数字列との組み合わせとなるようにされているので、ユーザは所定の指示操作内容を表す文字列あるいは文字列と数字列との組み合わせとなるように、数字キーに割り当てられた文字または数字に従ってコマンドを入力するので、コマンドを簡易に覚えて、簡易に入力することができ、操作性が高い。
【０００５】
また、上記構成の車載機器において、当該車載機器を、複数の動作モードを備え、前記制御部は、一つの前記コマンドの入力により、指定された動作モードに移行するとともに、当該動作モードにおいて、前記コマンドに対応する操作内容に応じた動作を行うように前記制御を行うように構成してもよい。
【０００６】
また、上記構成の車載機器において、当該車載機器を、所定の周波数のラジオ放送電波を受信するラジオ受信部を備え、前記制御部は、一つの前記コマンドの入力により、前記ラジオ受信部に、前記コマンドに対応する周波数帯の所定の周波数のラジオ放送電波を受信させるように前記制御を行うように構成してもよい。
【０００７】
また、上記構成の車載機器において、当該車載機器を、所定の周波数のラジオ放送電波を受信するラジオ受信部を備え、前記制御部は、一つの前記コマンドの入力により、前記ラジオ受信部に、前記コマンドに対応する周波数帯の所定のチャネル番号に割り当てられた周波数のラジオ放送電波を受信させるように前記制御を行うように構成してもよい。
【０００８】
また、本発明の車載機器の遠隔操作方法は、０〜９のうち互いに異なる一の数字が割り当てられ、割り当てられた数字を入力することができるとともに、一文字または複数文字が割り当てられた数字キーを複数個備えた携帯用電子機器と所定の無線通信方式による短距離無線通信ネットワークにより接続される車載機器を前記携帯用電子機器により遠隔操作する車載機器の遠隔操作方法であって、前記車載機器に、前記携帯用電子機器からユーザによる前記数字キーの入力順を表すデータ列からなるコマンドを前記短距離無線通信ネットワークを介して受信させ、前記コマンドと、このコマンドが指示する操作内容とを対応付けたコマンドテーブルに基づき、前記携帯用電子機器から受信したコマンドが指示する操作内容に応じた動作を行うように制御させ、前記コマンドは、前記数字キーに割り当てられたいずれかの文字あるいは数字を前記入力順に並べて表記した場合に、所定の指示操作内容を表す文字列あるいは文字列と数字列との組み合わせとなるようにされていること、を特徴とする。
【０００９】
また、本発明の制御プログラムは、０〜９のうち互いに異なる一の数字が割り当てられ、割り当てられた数字を入力することができるとともに、一文字または複数文字が割り当てられた数字キーを複数個備えた携帯用電子機器と所定の無線通信方式による短距離無線通信ネットワークにより接続されるとともに、前記電子機器からコマンドを受信するコマンド受信部と、前記コマンドと、このコマンドが指示する操作内容とを対応付けたコマンドテーブルを格納するテーブル格納部と、当該車載機器を制御する制御部とを備えた車載機器をコンピュータにより制御するための制御プログラムであって、前記コマンド受信部に、ユーザによる前記数字キーの入力順を表すデータ列からなるコマンドを前記短距離無線通信ネットワークを介して受信させ、前記制御部に、前記コマンドテーブルに基づき、前記コマンド受信部により受信させたコマンドが指示する操作内容に応じた動作を行うように当該車載機器を制御させ、前記コマンドは、前記数字キーに割り当てられたいずれかの文字あるいは数字を前記入力順に並べて表記した場合に、所定の指示操作内容を表す文字列あるいは文字列と数字列との組み合わせとなるようにされていることを特徴とする。
【発明の効果】
【００１０】
所定の無線通信方式により機器間の短距離無線通信が可能な携帯用電子機器であって、０〜９のうち互いに異なる一の数字が割り当てられ、割り当てられた数字を入力することができるとともに、一文字または複数文字が割り当てられた数字キーを複数個備えた携帯用電子機器であれば、汎用されているものを用いて車載機器を遠隔操作することができる。
【発明を実施するための最良の形態】
【００１１】
以下、図面を参照して本発明の実施の形態を説明する。
図１に、本発明に係る車載機器１を適用した車載機器１の遠隔操作システム１００の構成を示す。
図１に示す車載機器１は、車両に搭載されて、例えば、ＣＤ（Compact Disc）の再生や、ラジオ放送電波の受信等を行う装置で、携帯用電子機器としての携帯電話機３と短距離無線通信ネットワークにより接続され、ユーザにより携帯電話機３により遠隔操作（リモコン操作）されるものである。
【００１２】
まず、携帯電話機３の主要構成について説明する。携帯電話機３は、例えば、図１に示すように、車載機器１との間で短距離無線通信を行うための短距離無線通信機能の他に、無線基地局４との間で電波を送受信するアンテナ３１を有し、無線基地局４を介して他の携帯電話機（図示略）また電話回線を介して接続された一般の固定電話機５と通信するための無線通信機能を有している。また、携帯電話機３は、図示しないメモリに電話番号を登録する機能や、無線通信を介して電子メールを送信できる機能等を備えている。
【００１３】
携帯電話機３には、図１および図２に示す様に、通話する相手方の電話番号を入力したり、電話番号を登録したりする際に数字を入力するために用いられる十個の数字キー３０（３００〜３０９）を有している。各数字キー３００〜３０９には、図２に示すように、０〜９のうち、いずれか一の数字が割り当てられている他、仮名文字または英文字が割り当てられている。各数字キー３００〜３０９を押下操作することにより、それぞれ各数字キー３００〜３０９に割り当てられた数字またはいずれかの文字が入力できるようになっている。数字入力モードが設定されている場合は、各数字キー３００〜３０９に割り当てられた数字が入力され、文字入力モードが設定されている場合は、各数字キー３００〜３０９に割り当てられたいずれかの文字を入力することができる。文字入力モードにおいて、これらの数字キー３００〜３０９のうちいずれかの数字キー３００〜３０９を選んで適宜押下操作することにより、電話番号の登録や電子メールのタイトルや本文を入力できるようになっている。なお、入力された数字または文字（記号を含む）は、携帯電話機３が有する表示部３２（図１参照）に表示されて、ユーザが入力した内容を確認できるようになっている。
【００１４】
ただし、携帯電話機３には文字入力モードとして仮名入力モードと英文字入力モードとを有している。また、図２に数字キー３００〜３０９を拡大して表示するように、各数字キー３００〜３０９に「あ」、「か」、「さ」等のように平仮名一文字が表示されているのは、それぞれ「あ行」、「か行」、「さ行」等の各行に含まれる仮名文字が各数字キー３００〜３０９に割り当てられていることを示す。仮名入力モードが設定されている際に、この数字キー３００〜３０９を続けて押下すると、押下された回数によって表示部３２に表示される文字が、例えば、数字キー３０１の場合には、「あ」→「い」→「う」→「え」→「お」のように変わる。そして、表示部３２に所望の文字が表示された際に図示しない決定キーを押下することにより、各行に含まれる文字のうちいずれか一の文字を入力することができるようになっている。
【００１５】
また、各数字キー３００〜３０９に、「ＡＢＣ」、「ＤＥＦ」などのように複数の英文字が表示されているのは、それぞれ表示された英文字が各数字キー３００〜３０９に割り当てられていることを示している。英文字入力モードが設定されている際に、この数字キー３００〜３０９を続けて押下すると、押下された回数によって、例えば、数字キー３０２の場合、表示部３２に表示される文字が「Ａ」→「Ｂ」→「Ｃ」のように変わる。そして、所望の文字が表示された際に決定キーを押下することにより、「Ａ」、「Ｂ」、「Ｃ」のいずれかの文字を入力することができるようになっている。
【００１６】
次に、車載機器１の主要部の構成を図３を参照して説明する。
図３に示すように、車載機器１は、制御部１０と、ＣＤ再生部１１と、ＤＶＤ再生部１２と、ラジオ受信部１３と、ナビゲーション部１４と、短距離無線通信部１５（コマンド受信部）と、操作部１６と、表示部１７と、音声信号出力部１８と、テーブル格納部１９とを備えている。車載機器１は、ＣＤ再生部１１によるＣＤ再生モード、ＤＶＤ再生部１２によるＤＶＤ再生モード、ラジオ受信部１３によるラジオ受信モード、ナビゲーション部１４により経路案内モード等の複数の動作モードを有している。
【００１７】
制御部１０は、車載機器１が備える上記各部の動作を集中制御するもので、図示しないＣＰＵやＲＡＭ、ＲＯＭなどを備えている。制御部１０において、ＣＰＵは、ＲＯＭに格納された各種制御プログラムやデータを、ＲＡＭの一部を作業領域として読み出して、制御プログラムを実行することで、各部の制御を行う。また、制御部１０は、携帯電話機３から短距離無線通信部１５を介してコマンドを受信すると、そのコマンドが指示する操作内容に応じた動作を行うように、各部を制御する。
【００１８】
ＣＤ再生部１１は、制御部１０の制御の下、ＣＤ（Compact Disc）に記録された音楽データ等の音声データを読み取り、音声信号を音声信号出力部１８に出力するものである。
【００１９】
ＤＶＤ再生部１２は、制御部１０の制御の下、ＤＶＤ（Digital Versatile Disk）に記録された音声データや画像データを読み取り、音声信号を音声信号出力部１８に出力するとともに画像信号を表示部１７に出力するものである。
【００２０】
ラジオ受信部１３は、図示しないアンテナおよびＡＭ／ＦＭチューナ等を備え、制御部１０の制御の下、ラジオ放送波を受信してラジオ放送の音声信号を音声信号出力部１８に出力するものである。ラジオ受信部１３において、ユーザにより操作部１６または携帯電話機３を介して選局された周波数の放送波が受信される。
【００２１】
ナビゲーション部１４は、制御部１０の制御の下、所定の目的地までの経路案内等を行うための装置である。ナビゲーション部１４は、図示しないＧＰＳ（Global Positioning System）受信機やジャイロセンサなどの自車両位置検出手段などを備え、自車両位置検出手段により自車両の現在位置を順次取得し、この現在位置を含む地図情報を例えばＤＶＤなどの所定の記憶媒体から読み出して、表示部１７に出力するとともに、地図に車両位置をマークするための表示データを出力する。また、経路案内時にユーザに対して音声により報知すべき事項がある場合、ＤＶＤなどの所定の記憶媒体から案内音声データを読み出して音声信号を音声信号出力部１８に出力する。
【００２２】
短距離無線通信部１５は、例えば、Bluetooth（登録商標）、ＩｒＤＡ（Infrared Data Association）等の短距離無線通信技術を利用して、機器間における短距離無線通信を行うものである。本実施の形態では、車載機器１と携帯電話機３とはこの短距離無線通信ネットワークを形成し、車載機器１と携帯電話機３との間で所定のプロトコルに従って数m〜数十m程度の短距離で無線通信を行い、携帯電話機３からユーザによる数字キー３００〜３０９の入力順を表すデータ列からなるコマンドを受信する。
【００２３】
操作部１６は、上記したＣＤ再生部１１によるＣＤ再生モード、ＤＶＤ再生部１２によるＤＶＤ再生モード、ラジオ受信部１３によるラジオ受信モード、ナビゲーション部１４による経路案内モードなど動作モードを選択するための操作キー、各動作モードにおける所定の操作を行わせるための操作キー等の各種操作子を有し、ユーザの操作入力を検出して、検出信号を制御部１０に出力するものである。車載機器１は、携帯電話機３を介して遠隔操作されるとともに、操作部１６を介してユーザにより直接操作される場合もある。
【００２４】
表示部１７は、例えば、液晶パネルや有機ＥＬパネルといったフラットパネルディスプレイなどにより構成され、ＤＶＤ再生部１２、ナビゲーション部１４における動作により出力される画像信号に基づき映像や地図情報などを表示する他、当該車載機器１にかかる操作メニューや操作内容等の各種表示を行うものである。
【００２５】
音声信号出力部１８は、図示しないアンプやスピーカなどを備え、ＣＤ再生部１１、ＤＶＤ再生部１２、ナビゲーション部１４、ラジオ受信部１３における各種動作により出力される音声信号を外部に音声として出力するものである。音声信号出力部１８を介して車内に出力される音声としては、ナビゲーション部１４による経路案内のための案内音声や、ラジオ受信部１３において受信されたラジオ音声、ＣＤ再生部１１やＤＶＤ再生部１２において再生された音楽等がある。
【００２６】
テーブル格納部１９は、携帯電話機３から受信するコマンドと、そのコマンドが指示する操作内容とを対応付けたコマンドテーブル２０を格納するものである。
コマンドは、図４に示すように、六桁の数字列からなり、この数字列を構成する数字を入力するために用いた数字キー３００〜３０９に割り当てられたいずれかの文字または数字を順に表記した場合に、当該コマンドにより車載機器１に指示する操作内容の概略を表す文字列または文字列と数字列との組み合わせとなっている。
【００２７】
換言すれば、ユーザは、車載機器１に送信するコマンドを、六桁の数字列ではなく、所定の指示操作内容の概略を表す文字列あるいは文字列と数字列との組み合わせとして把握することができる一方、車載機器１にコマンドを送信する際には、数字入力モードにおいて、コマンドを構成する文字または数字が割り当てられた数字キー３００〜３０９を一回ずつ順に押下することによりコマンドを入力することができるようになっている。
【００２８】
すなわち、ユーザは、車載機器１に送信するコマンドをコマンドＣ1においては「ＣＤＰＬＡＹ（ＣＤの再生）」、コマンドＣ2においては「ＡＭ１６２９（ＡＭラジオ  １６２９ｋＨｚ受信）」、コマンドＣ3においては「ＦＭ０９８１（ＦＭラジオ  ９８．１ＭＨｚ受信）」、コマンドＣ4においては「ＦＭＣＨ０１（ＦＭラジオ  プリセットチャネルＣＨ０１受信）」などのように、車載機器１に対して指示する操作内容の概略を表す文字列あるいは文字列と数字列との組み合わせとして把握することができる。
【００２９】
以下、各コマンドＣ1〜Ｃ5についてそれぞれ説明する。
まず、コマンドＣ1について説明する。コマンドＣ1を車載機器１に送信する場合、ユーザは、「ＣＤＰＬＡＹ」という文字列を構成する文字が割り当てられた数字キー３０、すなわち、図２に示すように、「Ｃ」の文字が割り当てられた「２」の数字キー３０２、「Ｄ」の文字が割り当てられた「３」の数字キー３０３、「Ｐ」の文字が割り当てられた「７」の数字キー３０７、「Ｌ」の文字が割り当てられた「５」の数字キー３０５、「Ａ」の文字が割り当てられた「２」の数字キー３０２、「Ｙ」の文字が割り当てられた「９」の数字キー３０９を数字入力モードにおいて順に一回ずつ押下することにより、コマンドＣ1を入力できる。
【００３０】
一方、車載機器１は、数字キー３０２、３０３、３０７、３０５、３０２、３０９の入力順に対応する六桁の数字列「２３７５２９」をコマンドＣ1として受信する。そして、コマンドテーブル２０において、このコマンドＣ1を構成する数字列における上二桁の数字「２３（ＣＤ）」には、選択する操作対象、すなわち「ＣＤ再生部の選択」が対応付けられており、下四桁の数字「７５２９（ＰＬＡＹ）」には操作対象における具体的な操作内容、すなわち「ＣＤの再生」が対応付けられており、車載機器１はこのコマンドＣ1を受信すると、制御部１０はコマンドテーブル２０に基づき、動作モードをＣＤ再生モードに移行させ、ＣＤ再生部１１にＣＤを再生させるように制御する。
【００３１】
同様に、コマンドＣ2の場合は、ユーザはコマンドＣ2「ＡＭ１６２９」を構成する文字または数字が割り当てられた数字キー３０、すなわち「Ａ」の文字が割り当てられた「２」の数字キー３０２、「Ｍ」の文字が割り当てられた「６」の数字キー３０６および「１６２９」の各数字が割り当てられた数字キー３０１、３０６、３０２、３０９を順に一回ずつ押下することにより、コマンドＣ2を入力できる。そして、車載機器１には、ユーザによる数字キー３０の入力順に対応する六桁の数字列「２６１６２９」をコマンドＣ2として受信する。そして、車載機器１はこのコマンドＣ2を受信すると、制御部１０はコマンドテーブル２０に基づき、コマンドＣ2の上二桁の数字「２６（ＡＭ）」に対応付けられた操作対象、すなわち「ラジオ受信部におけるＡＭチューナ」を選択し、下四桁の数字「１６２９」に対応付けられた操作内容「１６２９ｋＨｚを受信」に従って、ラジオ受信部１３において１６２９ｋＨｚのＡＭラジオ放送電波を受信させるように制御する。
【００３２】
同様に、コマンドＣ3の場合は、ユーザはコマンドＣ3「ＦＭ０９８１」を構成する文字または数字が割り当てられた数字キー３０３、３０６、３００、３０９、３０８、３０１を順に一回ずつ押下することにより、コマンドＣ3を入力できる。そして、車載機器１には、ユーザによる数字キー３００〜３０９の入力順に対応する六桁の数字列「３６０９８１」をコマンドＣ3として受信する。そして、車載機器１はこのコマンドＣ3を受信すると、制御部１０はコマンドテーブル２０に基づき、操作対象としてラジオ受信部１３におけるＦＭチューナを選択し、具体的な操作内容として、ラジオ受信部１３において９８．１ＭＨｚのＦＭラジオ放送電波を受信させるように制御する。
【００３３】
一方、コマンドＣ4の場合は、ユーザはラジオ受信部１３に受信させるラジオ放送電波の周波数を指定するのではなく、プリセットチャネルとしてチャネル番号０１に割り当てられた周波数を受信するように車載機器１に指示することができる。このコマンドＣ4は、「ＦＭＣＨ０１（ＦＭ  チャネル番号ＣＨ０１）」となっており、上記と同様にユーザは、「ＦＭＣＨ０１」を構成する文字または数字が割り当てられた数字キー３０３、３０６、３０２、３０４、３００、３０１を順に一回ずつ押下することにより、コマンドＣ4を入力できる。そして、車載機器１には、ユーザによる数字キー３０の入力順に対応する六桁の数字列「３６２４０１」をコマンドＣ4として受信し、プリセットチャネルのチャネル番号ＣＨ０１に割り当てられた周波数のＡＭラジオ放送電波を受信するようにラジオ受信部１３を制御する。
【００３４】
また、本実施の形態では、上記のプリセットチャネルとしてユーザが所望のチャネル番号に現在受信中のラジオ放送電波の周波数を割り当てることができるようになっている。この場合、ユーザはコマンドＣ5、Ｃ6のように、ＭＥＭＯＲＹ（記憶、登録）などを表すＭＥ（６３）と、チャネルを表すＣＨ（２４）と、周波数を割り当てたいチャネル番号（例えば、０１、０２）により構成されるプリセットチャネルの登録を示すコマンドを車載機器１に送信することにより、プリセットチャネルとして、指定したチャネル番号に所定の周波数を割り当てることができる。
【００３５】
次に、図５を参照して、携帯電話機３により車載機器１の遠隔操作が行われる際の、車載機器１の動作を説明する。なお、図５に示す動作は制御部１０の制御の下で実行される。
まず、携帯電話機３による遠隔操作の開始に際して、車載機器１と携帯電話機３との間で短距離無線通信を行うための各種設定等を行い、車載機器１と携帯電話機３との間の短距離無線通信を開始する（ステップＳ１）。ここで、Bluetooth（登録商標）により車載機器１と携帯電話機３との間の短距離無線通信を行う場合には、ステップＳ１において、各機器に割り当てられたBluetoothの識別情報（ＩＤ）の照合や、機種間の整合が行われる。
【００３６】
次に、車載機器１は携帯電話機３からのコマンドの受信を待機し（ステップＳ２）、制御部１０がコマンドを受信したと判別すると（ステップＳ２：Ｙ）、制御部１０はコマンドテーブル２０を参照し、コマンドテーブル２０に含まれるコマンドのうち、上二桁の数字が一致するコマンドがあるか否かを判別する（ステップＳ３）。
【００３７】
受信したコマンドの上二桁の数字と一致するコマンドがコマンドテーブル２０に含まれる場合（ステップＳ３：Ｙ）、続いて、上二桁の数字が「６３（ＭＥ、プリセットチャネルの登録）」であるか否かを判別する（ステップＳ４）。
【００３８】
上二桁の数字が「６３」でない場合（ステップＳ４：Ｎ）、コマンドテーブル２０に基づき、上二桁の数字に対応する操作対象を選択し、動作モードを決定する（ステップＳ５）。例えば、図４に示すように、受信したコマンドの上二桁の数字が「２３」の場合は、ＣＤ再生部１１を操作対象として選択し、制御部１０は車載機器１の動作モードをＣＤ再生モードとなるように制御する。これと同様に、受信したコマンドの上二桁の数字が「２６」の場合は、制御部１０はラジオ受信部１３のＡＭチューナを操作対象として選択し、コマンドの上二桁の数字が「３６」の場合はＦＭチューナを操作対象として選択し、上二桁の数字が「３８（ＤＶ）」の場合はＤＶＤ再生部１２を操作対象として選択し、上二桁の数字が「６８（ＮＶ）」の場合はナビゲーション部１４を操作対象として選択する。
【００３９】
次に、上二桁の数字が一致するコマンドのうち、受信したコマンドの下四桁の数字が一致するコマンドがコマンドテーブル２０に含まれるか否かを判別し（ステップＳ６）、下四桁の数字が一致するコマンドがコマンドテーブル２０に含まれる場合（ステップＳ６：Ｙ）、制御部１０は、その下四桁の数字に対応する操作内容に応じた所定の動作制御を行う（ステップＳ７）。
【００４０】
一方、受信したコマンドの上二桁の数字が「６３」と判別された場合（ステップＳ４：Ｙ）、次に制御部１０は現在ラジオ放送を受信中か否かを判別する（ステップＳ８）。ラジオ放送を受信中であると判別された場合（ステップＳ８：Ｙ）、受信したコマンドの下四桁の数字によりチャネル番号の指定があるか否かを判別する（ステップＳ９）。ここで、チャネル番号の指定があるか否かは、コマンドの下四桁の数字が「２４（ＣＨ）」で始まっているか否かにより判別される。
【００４１】
チャネル番号の指定がある場合には（ステップＳ９：Ｙ）、現在受信しているラジオ放送波の周波数を指定されたチャネル番号に割り当てて、コマンドテーブル２０を書き換える（ステップＳ１０）。そして、車載機器１と携帯電話機３との間の短距離無線通信が終了するまで（ステップＳ１１：Ｙ）、上記処理を繰り返し実行する。但し、上記の処理において正しいコマンドを受信できない場合（ステップＳ３：Ｎ、ステップＳ６：Ｎ、ステップＳ８：Ｎ、ステップＳ９：Ｎ）、車載機器１と携帯電話機３との間の短距離無線通信が終了していない（ステップＳ１１：Ｎ）限り、コマンドの受信を再び待機し（ステップＳ２）、上記処理を繰り返し実行する。
【００４２】
以上説明した本実施の形態によれば、車載機器１は、短距離無線通信部１５を介して携帯電話機３からコマンドを受信すると、制御部１０はテーブル格納部１９に格納されたコマンドテーブル２０に基づき、ステップＳ７に示すように、受信したコマンドが指示する操作内容に応じた動作を行うように制御する。コマンドを送信する携帯電話機３は、０〜９のうち互いに異なる一の数字を入力することのできるとともに文字が割り当てられた数字キー３０（３００〜３０９）、すなわち、いわゆるテンキーを有し、例えば、Bluetooth（登録商標）やＩｒＤＡなどの機器間における短距離無線通信が可能なものであればよいので、これらの構成を有する汎用の携帯電話機３を用いて車載機器１にコマンドを送信し、車載機器１を遠隔操作することができる。
【００４３】
また、本実施の形態では、コマンドはユーザによる数字キー３００〜３０９の入力順を表すデータ列、すなわち六桁の数字列からなるとともに、前記数字キー３００〜３０９に割り当てられたいずれかの文字あるいは数字を、コマンドを入力する際に用いられた数字キー３００〜３０９の入力順に並べて表記した場合に、車載機器１に対する所定の指示操作内容を表す文字列あるいは文字列と数字列との組み合わせとなるようにされているので、ユーザは所定の指示操作内容を表す文字列あるいは文字列と数字列との組み合わせとなるように、数字キー３００〜３０９に割り当てられた文字または数字に従ってコマンドを入力するので、コマンドを簡易に覚えて、簡易に入力することができ、操作性が高い。
【００４４】
すなわち、本実施の形態では、所定の文字列あるいは文字列と数字列との組み合わせとしてのコマンドを、文字入力モードを用いずに、数字入力モードにおいて入力している。このため、本実施の形態の携帯電話機３のように、複数の文字がそれぞれの数字キー３００〜３０９に割り当てられている場合に、所定の一文字を入力するために所定の数字キー３００〜３０９を続けて数回押下操作するなどの煩わしい作業を行う必要がないので、ユーザは簡易にコマンドを入力することができ操作性が高い。
【００４５】
但し、上記説明した実施の形態に本発明は限定されるものではなく、本発明の趣旨を逸脱しない範囲において適宜変更可能なのは勿論である。
例えば、本実施の形態では、車載機器１を遠隔操作するために用いる携帯用電子機器として携帯電話を例に挙げて説明したが、本発明はこれに限定されるものではなく、例えば、ＰＤＡ（Persona Digital Assistance）などの携帯用電子機器であって、数字入力キー（ソフトウェアキーも含む）を有し、車載機器１との間でBluetooth（登録商標）やＩｒＤＡなどの短距離無線通信が可能なものであれば、それらの携帯用電子機器を用いて同様に車載機器１を遠隔操作できるようにしてもよいのは勿論である。
【００４６】
また、図４に示したコマンドテーブル２０は一例であって、コマンドは図４に示す数字列に限定されるものでないのは勿論である。また、携帯電話機３が有する数字キー３０（３００〜３０９）に割り当てられる文字は、機種等によって異なる場合があるので、車載機器１においてコマンドテーブル２０をテーブル格納部１９に格納させる際に、予め複数の機種毎にコマンドテーブル２０を用意しておき、携帯電話機３との短距離無線通信を開始する際に、携帯電話機３から機種情報を取得して携帯電話機３の機種に応じたコマンドテーブル２０に基づいて、動作制御を行うようにしてもよいのは勿論である。
【００４７】
また、上記実施の形態では、コマンドテーブル２０において、コマンドと、コマンドが指示する操作内容とが一対一の関係にある場合について説明したが、コマンドテーブル２０において、複数のコマンドに対して一の操作内容を対応付けておいてもよい。例えば、ＣＤのランダム再生を想起させる複数の文字列「ＣＤＲＮＤＭ（ＣＤ  ＲＡＮＤＯＭ）」、「ＣＤＳＨＦＬ（ＣＤ  ＳＨＵＦＦＬＥ）」等に対応する数字列「２３７６３６（ＣＤＲＮＤＭ）」、「２３７４３５（ＣＤＳＨＦＬ）」をコマンドとして、それぞれのコマンドに対して「ＣＤのランダム再生」をコマンドテーブル２０において対応付け、いずれのコマンドが入力された場合でも、車載機器１にＣＤのランダム再生を行わせるようにしてもよい。このように、所定の操作内容に対して複数の文字列等に対応するコマンドを用意しておけば、ユーザは覚えやすい文字列に対応するコマンドを入力すればよいので、より操作性が高くなる。
【００４８】
また、上記実施の形態では、原則として、操作対象の選択、すなわち動作モードの指定と、具体的な操作内容とが一つのコマンドに対応付けられているものとしたが、本発明はこれに限定されるものではない。例えば、操作対象の変更を伴わない場合には、具体的な操作内容のみを車載機器１に指示するようにしてもよい。すなわち、ＣＤ再生部１１が既に操作対象として選択されている場合に、次の曲の再生を指示したい場合、図４に示すように、携帯電話機３を介して「ＣＤＮＥＸＴ（２３７７３８）」というコマンドＣ7を車載機器１に送信するのではなく、「ＮＥＸＴ（７７３８）」のみを送信するような構成としてもよい。
【００４９】
また、本実施の形態では、コマンドは数字入力モードにおいて入力するものとして説明したが、本発明はこれに限定されるものではない。車載機器１の側では、コマンドを入力する際に用いた数字キー３００〜３０９の入力順を表すデータ列をコマンドとして管理し、ユーザの側では数字キー３００〜３０９に割り当てられたいずれかの文字あるいは数字を入力順に並べて表記した場合に、車載機器１に指示する所定の操作内容を表す文字列あるいは文字列と数字列との組み合わせになるようになっていればよい。
【００５０】
また、本実施の形態では、所定の操作内容を表す文字列を英文字からなる文字列として説明したが、本発明はこれに限定されるものではなく、仮名文字からなる文字列であってもよいし、仮名文字と英文字とを含む文字列であってもよいのは勿論である。
【００５１】
また、ラジオ受信部１３をＡＭラジオ放送電波またはＦＭラジオ放送電波だけではなく、短波放送も受信できるように構成してもよいのは勿論であり、車載機器１が有する動作モードは上記実施の形態に限定されるものではなく、例えばＭＤ（Mini  Disc（登録商標））を再生するＭＤ再生部などを備え、ＭＤ再生モードを動作モードとして有する構成であってもよいし、適宜変更可能なのは勿論である。
【００５２】
また、図１に示す様に、携帯電話機３に固定電話機５または他の携帯電話機などから電話をかけて、固定電話機５等を介して携帯電話機３に短距離無線通信ネットワークを介してコマンドを送信させて、車載機器１を遠隔操作するようにしてもよいのは勿論である。この形態によれば、車載機器１と短距離無線通信が可能な距離に携帯電話機３を配置しておけば、短距離無線通信が可能な範囲外にユーザがいる場合でも固定電話機５等を介して車載機器１を遠隔操作できる。
【図面の簡単な説明】
【００５３】
【図１】本発明の車載機器が適用される車載機器の遠隔操作システムの概要を示す図である。
【図２】車載機器を遠隔操作する携帯電話機が有する数字キーを示す図である。
【図３】本発明の実施の形態における車載機器の主要部の機能的構成を示すブロック図である。
【図４】本発明の実施の形態におけるコマンドテーブルの構成を示す図である。
【図５】本発明の実施の形態における動作例を示すフローチャートである。
【００５４】
１  車載機器
３  携帯電話機（携帯用電子機器）
１０  制御部
１１  ＣＤ再生部
１２  ＤＶＤ再生部
１３  ラジオ受信部
１４  ナビゲーション部
１５  短距離無線通信部（コマンド受信部）
１６  操作部
１７  表示部
１８  音声信号出力部
１９  テーブル格納部
２０  コマンドテーブル
３０（３００〜３０９）  数字キー
【図１】
2007318382.tif 000003
【図２】
2007318382.tif 000004
【図３】
2007318382.tif 000005
【図４】
2007318382.tif 000006
【図５】
2007318382.tif 000007